(57)【要約】  擬似ランダムシーケンス及び／又はスクランブリングシーケンスの生成の間に使用される擬似ランダムシーケンス初期化値が、第１識別子に少なくとも部分的に基づいている、無線ネットワークノード、無線デバイス及び関連する方法が提供され、第１パラメータが構成され、かつ、第２識別子が無線デバイス固有の識別子に対応する場合、第１識別子は、第１パラメータに等しい。
2021520663.tif 000002
【特許請求の範囲】
【請求項１】
ネットワークノードでの方法であって、
第１識別子に少なくとも部分的に基づいて、擬似ランダムシーケンス初期化値を取得することであって、第１パラメータが構成され、かつ、第２識別子が無線デバイス固有の識別子に対応する場合、前記第１識別子は前記第１パラメータに等しい、前記擬似ランダムシーケンス初期化値を取得することと、
前記擬似ランダムシーケンス初期化値に少なくとも部分的に基づいて、擬似ランダムシーケンスを取得することと、を含む方法。
【請求項２】
請求項１に記載の方法であって、
前記第１パラメータが構成されていない場合、又は、前記第２識別子が無線デバイス固有の識別子に対応しない場合、前記第１識別子はセル識別子に等しい、方法。
【請求項３】
請求項１又は２に記載の方法であって、
第２パラメータが構成され、かつ、前記第２識別子が無線デバイス固有の識別子に対応しない場合、前記第１識別子は前記第２パラメータに等しい、方法。
【請求項４】
請求項１から３のいずれか１項に記載の方法であって、
前記第２識別子は、無線ネットワークテンポラリ識別子（ＲＮＴＩ）である、方法。
【請求項５】
請求項４に記載の方法であって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、方法。
【請求項６】
請求項１から５のいずれか１項に記載の方法であって、さらに、
取得した前記擬似ランダムシーケンスでダウンリンクメッセージをスクランブリングすることと、
スクランブリングされた前記ダウンリンクメッセージを無線デバイスに送信することと、を含む方法。
【請求項７】
請求項６に記載の方法であって、
前記ダウンリンクメッセージは、共有チャネルダウンリンクメッセージである、方法。
【請求項８】
請求項６又は７に記載の方法であって、
前記ダウンリンクメッセージは、物理ダウンリンク共有チャネル（ＰＤＳＣＨ）メッセージである、方法。
【請求項９】
請求項１から５のいずれか１項に記載の方法であって、さらに、
取得した前記擬似ランダムシーケンスに少なくとも部分的に基づいて、ダウンリンク参照信号を生成することと、
生成した前記ダウンリンク参照信号を無線デバイスに送信することと、を含む方法。
【請求項１０】
請求項９に記載の方法であって、
前記ダウンリンク参照信号は、復調参照信号（ＤＭ−ＲＳ）である、方法。
【請求項１１】
請求項９又は１０に記載の方法であって、
前記ダウンリンク参照信号は、物理ダウンリンク共有チャネル（ＰＤＳＣＨ）に関連付けられた復調参照信号（ＤＭ−ＲＳ）である、方法。
【請求項１２】
無線ネットワークノードであって、
第１パラメータが構成され、かつ、第２識別子が無線デバイス固有の識別子に対応する場合、前記第１パラメータに等しい第１識別子に少なくとも部分的に基づいて、擬似ランダムシーケンス初期化値を取得し、
前記擬似ランダムシーケンス初期化値に少なくとも部分的に基づいて、擬似ランダムシーケンスを取得する様に構成されている、無線ネットワークノード。
【請求項１３】
請求項１２に記載の無線ネットワークノードであって、
前記第１パラメータが構成されていない場合、又は、前記第２識別子が無線デバイス固有の識別子に対応しない場合、前記第１識別子はセル識別子に等しい、無線ネットワークノード。
【請求項１４】
請求項１２又は１３に記載の無線ネットワークノードであって、
第２パラメータが構成され、かつ、前記第２識別子が無線デバイス固有の識別子に対応しない場合、前記第１識別子は前記第２パラメータに等しい、無線ネットワークノード。
【請求項１５】
請求項１２から１４のいずれか１項に記載の無線ネットワークノードであって、
前記第２識別子は、無線ネットワークテンポラリ識別子（ＲＮＴＩ）である、無線ネットワークノード。
【請求項１６】
請求項１５に記載の無線ネットワークノードであって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、無線ネットワークノード。
【請求項１７】
請求項１２から１６のいずれか１項に記載の無線ネットワークノードであって、さらに、
取得した前記擬似ランダムシーケンスでダウンリンクメッセージをスクランブリングし、
スクランブリングされた前記ダウンリンクメッセージを無線デバイスに送信する様に構成されている、無線ネットワークノード。
【請求項１８】
請求項１７に記載の無線ネットワークノードであって、
前記ダウンリンクメッセージは、共有チャネルダウンリンクメッセージである、無線ネットワークノード。
【請求項１９】
請求項１７又は１８に記載の無線ネットワークノードであって、
前記ダウンリンクメッセージは、物理ダウンリンク共有チャネル（ＰＤＳＣＨ）メッセージである、無線ネットワークノード。
【請求項２０】
請求項１２から１７のいずれか１項に記載の無線ネットワークノードであって、さらに、
取得した前記擬似ランダムシーケンスに少なくとも部分的に基づいて、ダウンリンク参照信号を生成し、
生成した前記ダウンリンク参照信号を無線デバイスに送信する様に構成されている、無線ネットワークノード。
【請求項２１】
請求項２０に記載の無線ネットワークノードであって、
前記ダウンリンク参照信号は、復調参照信号（ＤＭ−ＲＳ）である、無線ネットワークノード。
【請求項２２】
請求項２０又は２１に記載の無線ネットワークノードであって、
前記ダウンリンク参照信号は、物理ダウンリンク共有チャネル（ＰＤＳＣＨ）に関連付けられた復調参照信号（ＤＭ−ＲＳ）である、無線ネットワークノード。
【請求項２３】
非一時的なコンピュータ可読記憶媒体を有するコンピュータプログラム製品であって、
前記コンピュータ可読記憶媒体は、前記コンピュータ可読記憶媒体に格納されたコンピュータ可読プログラムコードを有し、前記コンピュータ可読プログラムコードは、請求項１から１１のいずれか１項に記載の方法に従い動作させるためのコンピュータ可読プログラムコードを含む、コンピュータプログラム製品。
【請求項２４】
無線デバイスでの方法であって、
第１識別子に少なくとも部分的に基づいて、擬似ランダムシーケンス初期化値を取得することであって、第１パラメータが構成され、かつ、第２識別子が無線デバイス固有の識別子に対応する場合、前記第１識別子は前記第１パラメータに等しい、前記擬似ランダムシーケンス初期化値を取得することと、
前記擬似ランダムシーケンス初期化値に少なくとも部分的に基づいて、擬似ランダムシーケンスを取得することと、を含む方法。
【請求項２５】
請求項２４に記載の方法であって、
前記第１パラメータが構成されていない場合、又は、前記第２識別子が無線デバイス固有の識別子に対応しない場合、前記第１識別子はセル識別子に等しい、方法。
【請求項２６】
請求項２４又は２５に記載の方法であって、
第２パラメータが構成され、かつ、前記第２識別子が無線デバイス固有の識別子に対応しない場合、前記第１識別子は前記第２パラメータに等しい、方法。
【請求項２７】
請求項２４から２６のいずれか１項に記載の方法であって、
前記第２識別子は、無線ネットワークテンポラリ識別子（ＲＮＴＩ）である、方法。
【請求項２８】
請求項２７に記載の方法であって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、方法。
【請求項２９】
請求項２４から２８のいずれか１項に記載の方法であって、さらに、
無線ネットワークノードからスクランブリングされたダウンリンクメッセージを受信することと、
受信した前記スクランブリングされたダウンリンクメッセージを、取得した前記擬似ランダムシーケンスでディスクランブリングすることと、を含む方法。
【請求項３０】
請求項２９に記載の方法であって、
前記ダウンリンクメッセージは、共有チャネルダウンリンクメッセージである、方法。
【請求項３１】
請求項２９又は３０に記載の方法であって、
前記ダウンリンクメッセージは、物理ダウンリンク共有チャネル（ＰＤＳＣＨ）メッセージである、方法。
【請求項３２】
請求項２４から２８のいずれか１項に記載の方法であって、さらに、
取得した前記擬似ランダムシーケンスに少なくとも部分的に基づいて、参照信号を生成することと、
無線ネットワークノードからダウンリンク参照信号を受信することと、
前記無線ネットワークノードから受信した前記ダウンリンク参照信号と、前記無線デバイスが生成した前記参照信号との比較に基づいてダウンリンクチャネルを推定することと、
を含む方法。
【請求項３３】
請求項３２に記載の方法であって、
前記参照信号は、復調参照信号（ＤＭ−ＲＳ）である、方法。
【請求項３４】
請求項３２又は３３に記載の方法であって、
前記参照信号は、物理ダウンリンク共有チャネル（ＰＤＳＣＨ）に関連付けられた復調参照信号（ＤＭ−ＲＳ）である、方法。
【請求項３５】
無線デバイスであって、
第１パラメータが構成され、かつ、第２識別子が無線デバイス固有の識別子に対応する場合、前記第１パラメータに等しい第１識別子に少なくとも部分的に基づいて、擬似ランダムシーケンス初期化値を取得し、
前記擬似ランダムシーケンス初期化値に少なくとも部分的に基づいて、擬似ランダムシーケンスを取得する様に構成されている、無線デバイス。
【請求項３６】
請求項３５に記載の無線デバイスであって、
前記第１パラメータが構成されていない場合、又は、前記第２識別子が無線デバイス固有の識別子に対応しない場合、前記第１識別子はセル識別子に等しい、無線デバイス。
【請求項３７】
請求項３５又は３６に記載の無線デバイスであって、
第２パラメータが構成され、かつ、前記第２識別子が無線デバイス固有の識別子に対応しない場合、前記第１識別子は前記第２パラメータに等しい、無線デバイス。
【請求項３８】
請求項３５から３７のいずれか１項に記載の無線デバイスであって、
前記第２識別子は、無線ネットワークテンポラリ識別子（ＲＮＴＩ）である、無線デバイス。
【請求項３９】
請求項３８に記載の無線デバイスであって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、無線デバイス。
【請求項４０】
請求項３５から３９のいずれか１項に記載の無線デバイスであって、さらに、
無線ネットワークノードからスクランブリングされたダウンリンクメッセージを受信し、
受信した前記スクランブリングされたダウンリンクメッセージを、取得した前記擬似ランダムシーケンスでディスクランブリングする様に構成されている、無線デバイス。
【請求項４１】
請求項４０に記載の無線デバイスであって、
前記ダウンリンクメッセージは、共有チャネルダウンリンクメッセージである、無線デバイス。
【請求項４２】
請求項４０又は４１に記載の無線デバイスであって、
前記ダウンリンクメッセージは、物理ダウンリンク共有チャネル（ＰＤＳＣＨ）メッセージである、無線デバイス。
【請求項４３】
請求項３５から３９のいずれか１項に記載の無線デバイスであって、さらに、
取得した前記擬似ランダムシーケンスに少なくとも部分的に基づいて参照信号を生成し、
無線ネットワークノードからダウンリンク参照信号を受信し、
前記無線ネットワークノードから受信した前記ダウンリンク参照信号と、前記無線デバイスが生成した前記参照信号との比較に基づいてダウンリンクチャネルを推定する様に構成されている、無線デバイス。
【請求項４４】
請求項４３に記載の無線デバイスであって、
前記参照信号は、復調参照信号（ＤＭ−ＲＳ）である、無線デバイス。
【請求項４５】
請求項４３又は４４に記載の無線デバイスであって、
前記参照信号は、物理ダウンリンク共有チャネル（ＰＤＳＣＨ）に関連付けられた復調参照信号（ＤＭ−ＲＳ）である、無線デバイス。
【請求項４６】
非一時的なコンピュータ可読記憶媒体を有するコンピュータプログラム製品であって、
前記コンピュータ可読記憶媒体は、前記コンピュータ可読記憶媒体に格納されたコンピュータ可読プログラムコードを有し、前記コンピュータ可読プログラムコードは、請求項２４から３４のいずれか１項に記載の方法に従い動作させるためのコンピュータ可読プログラムコードを含む、コンピュータプログラム製品。
【発明の詳細な説明】
【技術分野】
【０００１】
本出願は、２０１８年１月１２日に米国特許商標庁に提出され、"無線通信ネットワークにおける物理チャネル及び参照信号のスクランブリング"と題する、米国仮特許出願第６２／６１６，８０３号の優先権の利益を主張し、その内容は参照により本明細書に組み込まれる。
【０００２】
本説明は、一般に、無線通信及び無線通信ネットワークに関し、より詳細には、無線通信ネットワークにおける物理チャネル及び／又は物理信号のスクランブリングに関する。
【背景技術】
【０００３】
ＮＲ（つまり、３ＧＰＰの５Ｇ規格）における物理ダウンリンク共有チャネル（ＰＤＳＣＨ）の送信は、以下に再現する３ＧＰＰ  ＴＳ３８．２１１  Ｖ１５．０．０のセクション７．３．１．１で規定されているようにスクランブリングされる。
【０００４】
−−−−−
【０００５】
７．３．１．１スクランブリング
【０００６】
最大２つのコードワードを送信でき、ｑ∈｛０，１｝。単一コードワード送信の場合、ｑ＝０。
【０００７】
各コードワードｑについて、ＵＥはビットｂ（ｑ）（０），・・・，ｂ（ｑ）（Ｍ（ｑ）ｂｉｔ−１）のブロックを想定し、ここで、Ｍ（ｑ）ｂｉｔは物理チャネルで送信されるコードワードｑのビット数であり、変調前にスクランブリングされ、結果として、
ｂ〜（ｑ）（ｉ）＝（ｂ（ｑ）（ｉ）＋ｃ（ｑ）（ｉ））  ｍоｄ  ２
に従ってスクランブリングされたビットｂ〜（ｑ）（０），・・・，ｂ〜（ｑ）（Ｍ（ｑ）ｂｉｔ−１）のブロックになる。
【０００８】
ここで、スクランブリングシーケンスｃ（ｑ）（ｉ）は、５．２．１節で与えられている。スクランブルシーケンスジェネレータは、
ｃｉｎｉｔ＝ｎＲＮＴＩ・２１５＋ｑ・２１４＋ｎＩＤ
で初期化される。
【０００９】
ここで、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙが構成される場合、上位レイヤパラメータのＤａｔａ−ｓｃｒａｍｂｌｉｎｇ−Ｉｄｅｎｔｉｔｙに等しく、
−ｎＩＤ＝ＮｃｅｌｌＩＤ、その他の場合、である。
【００１０】
−−−−−
【００１１】
また、ＮＲにおいて、復調参照信号（ＤＭ−ＲＳ）等の幾つかのダウンリンク参照信号は、以下に再現する３ＧＰＰ  ＴＳ３８．２１１  Ｖ１５．０．０のセクション７．４．１．１．１で規定されている擬似ランダムシーケンスを使用して生成される。
【００１２】
−−−−−
【００１３】
７．４．１．１．１シーケンスの生成
【００１４】
ＵＥは、参照信号シーケンスｒ（ｍ）が、
ｒ（ｍ）＝（１／√２）（１−２・ｃ（２ｍ））＋ｊ（１／√２）（１−２・ｃ（２ｍ＋１））
として定義されていると想定する。
【００１５】
ここで、擬似ランダムシーケンスｃ（ｉ）は５．２節で定義されている。スクランブルシーケンスジェネレータは、
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
で初期化される。
【００１６】
ここで、ｌはスロット内のＯＦＤＭシンボル番号であり、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤが提供される場合、上位レイヤパラメータのＤＬ−ＤＭＲＳ−Ｓｃｒａｍｂｌｉｎｇ−ＩＤで提供され、
−ｎＳＣＩＤ＝０及びＮｎＳＣＩＤＩＤ＝ＮＣｅｌｌＩＤ、その他の場合、である。
【００１７】
−−−−−
【発明の概要】
【発明が解決しようとする課題】
【００１８】
上記のように、ＮＲにおいては、初期化値（スクランブリングシードとも呼ばれる）の生成に、物理レイヤのセル識別子ＮＣｅｌｌＩＤを使用する代わりに、例えば、ＰＤＳＣＨメッセージのためのｎＩＤや、ＤＭ−ＲＳのためのＮｎＳＣＩＤＩＤ等の構成可能な値又は識別子を使用することができる。この理由は、ＵＥ（無線デバイスとも呼ばれる）が、再構成される必要無く、セル間を移動したり、複数のセルからの送信を受信したりすることを可能するためである。
【課題を解決するための手段】
【００１９】
無線ネットワークテンポラリ識別子（ＲＮＴＩ）は、無線デバイス（又はＵＥ）の識別子である。それは、複数の値を取り得る。たとえば、Ｃ−ＲＮＴＩは無線デバイス固有の識別子であり、セル内で一意であり、通常はユニキャスト送信に使用される。また、例えば、ページング、システム情報の配信、その他の同様の機能といった、共通メッセージに使用される共通ＲＮＴＩも存在する。
【００２０】
構成されたｎＩＤ、又は、構成されたＮｎＳＣＩＤＩＤを有する無線デバイスは、構成された異なる値（ＮｃｅｌｌＩＤとは異なる値）を持つ可能性があるため、例えば、ページングメッセージ、システム情報配信、ランダムアクセス応答等の、共通ＲＮＴＩを使用し、複数の無線デバイスをターゲットとする共通メッセージは、無線デバイスに配信され得ない。
【００２１】
したがって、広い側面において、初期化値（又はスクランブルシード）の生成に使用される第１識別子（たとえば、ｎＩＤ又はＮｓＳＣＩＤＩＤ）は、第１パラメータが構成され、かつ、第２識別子（例えば、ＲＮＴＩ）が無線デバイス固有（ＵＥ固有とも呼ばれる）の識別子（例えば、Ｃ−ＲＮＴＩ及び他のＵＥ固有のＲＮＴＩ）に対応する場合、第１パラメータに等しい。それ以外の場合、第１パラメータが構成されていなければ、第１識別子はセル識別子（例えば、ＮｃｅｌｌＩＤ）に等しい。また、第２パラメータが構成されている場合、第２パラメータが構成されていて、かつ、第２識別子が無線デバイス固有の識別子に対応していない場合、つまり第２識別子が共通識別子（例えば、Ｐ−ＲＮＴＩ、ＳＩ−ＲＮＴＩ及びその他の共通ＲＮＴＩ）に対応する場合、第１識別子は、第２パラメータに等しくなり得る。
【００２２】
一態様によると、幾つかの実施形態は、無線ネットワークノードによって実行される方法を含む。本方法は、一般に、擬似ランダムシーケンス初期化値を取得することであって、擬似ランダムシーケンス初期化値は、第１識別子に少なくとも部分的に基づき、第１パラメータが構成され、第２識別子が無線デバイス固有の識別子に対応する場合、第１識別子は第１パラメータに等しい、擬似ランダムシーケンス初期化値を取得することと、擬似ランダムシーケンス初期化値に少なくとも部分的に基づいて、擬似ランダムシーケンスを取得することと、を含む。
【００２３】
幾つかの実施形態において、第１パラメータが構成されていない場合、又は、第２識別子が無線デバイス固有の識別子に対応しない場合、第１識別子はセル識別子に等しい。幾つかの実施形態において、第２パラメータが構成され、かつ、第２識別子が無線デバイス固有の識別子に対応しない場合、第１識別子を第２パラメータに等しくできる。幾つかの実施形態において、第２識別子は、無線ネットワークテンポラリ識別子（ＲＮＴＩ）であり得る。幾つかの実施形態において、無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）であり得る。
【００２４】
幾つかの実施形態において、方法は、取得した擬似ランダムシーケンスでダウンリンクメッセージをスクランブリングすることと、スクランブリングされたダウンリンクメッセージを無線デバイスに送信することと、を含む、或いは、さらに含み得る。幾つかの実施形態において、ダウンリンクメッセージは、共有チャネルダウンリンクメッセージ（例えば、物理ダウンリンク共有チャネル（ＰＤＳＣＨ）メッセージ）であり得る。
【００２５】
幾つかの実施形態において、方法は、取得した擬似ランダムシーケンスに少なくとも部分的に基づいて、ダウンリンク参照信号を生成することと、生成したダウンリンク参照信号を無線デバイスに送信することと、を含む、或いは、さらに含み得る。幾つかの実施形態において、ダウンリンク参照信号は、復調参照信号（ＤＭ−ＲＳ）（例えば、物理ダウンリンク共有チャネル（ＰＤＳＣＨ）に関連付けられた復調参照信号（ＤＭ−ＲＳ））であり得る。
【００２６】
別の態様によると、幾つかの実施形態は、記載された無線ネットワークノード機能（例えば、アクション、動作、ステップ等）の１つ以上を実行する様に適合された、１つ以上を実行する様に構成された、１つ以上の実行を可能にする、或いは、１つ以上を実行する様に動作可能な無線ネットワークノードを含む。
【００２７】
幾つかの実施形態において、無線ネットワークノードは、１つ以上のトランシーバと、１つ以上の通信インタフェースと、１つ以上のトランシーバ及び１つ以上の通信インタフェースと動作可能に接続された処理回路と、を有し得る。１つ以上のトランシーバは、無線ネットワークノードが無線インタフェースを介して１つ以上の無線デバイスと通信できるように構成される。１つ以上の通信インタフェースは、無線ネットワークノードが１つ以上の他の無線ネットワークノード（例えば、無線アクセスネットワーク通信インタフェースを介して）、１つ以上のコアネットワークノード（例えば、コアネットワーク通信インタフェースを介して）、及び／又は、１つ以上の他のネットワークノードと通信できるように構成される。処理回路は、無線ネットワークノードが、説明された無線ネットワークノード機能のうちの１つ以上を実行できるように構成される。幾つかの実施形態において、処理回路は、少なくとも１つのプロセッサ及び少なくとも１つのメモリを含み、メモリは、プロセッサによって実行されると、無線ネットワークノードが説明されている無線ネットワークノードの機能の１つ以上を実行することを可能にする様に少なくとも１つのプロセッサを構成する命令を含んでいる。
【００２８】
幾つかの実施形態において、無線ネットワークノードは、記載された無線ネットワークノード機能の１つ以上を実行する様に構成された１つ以上の機能ユニット（また、モジュールとも呼ばれる）を含み得る。幾つかの実施形態において、これらの機能ユニットは、無線ネットワークノードの１つ以上のトランシーバ及び処理回路によって具現化され得る。
【００２９】
他の態様によると、幾つかの実施形態は、コンピュータプログラム製品を含む。コンピュータプログラム製品は、コンピュータプログラム製品の非一時的なコンピュータ可読記憶媒体に格納されたコンピュータ可読命令を含む。無線ネットワークノードの処理回路（例えば、少なくとも１つのプロセッサ）によって命令が実行されるとき、処理回路は、説明された無線ネットワークノード機能の１つ以上を無線ネットワークノードが実行することを可能にする。
【００３０】
他の態様によると、幾つかの実施形態は、無線デバイスによって実行される方法を含む。本方法は、一般に、擬似ランダムシーケンス初期化値を取得することであって、擬似ランダムシーケンス初期化値は、第１識別子に少なくとも部分的に基づき、第１パラメータが構成され、かつ、第２識別子が無線デバイス固有の識別子に対応する場合、第１識別子は第１パラメータに等しい、擬似ランダムシーケンス初期化値を取得することと、擬似ランダムシーケンス初期化値に少なくとも部分的に基づいて、擬似ランダムシーケンスを取得することと、を含む。
【００３１】
幾つかの実施形態において、第１パラメータが構成されていない場合、又は、第２識別子が無線デバイス固有の識別子に対応しない場合、第１識別子をセル識別子に等しくできる。幾つかの実施形態において、第２パラメータが構成され、かつ、第２識別子が無線デバイス固有の識別子に対応しない場合、第１識別子を第２パラメータに等しくし得る。幾つかの実施形態において、第２識別子は、無線ネットワークテンポラリ識別子（ＲＮＴＩ）であり得る。幾つかの実施形態において、無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）であり得る。
【００３２】
幾つかの実施形態において、方法は、無線ネットワークノードからスクランブリングされたダウンリンクメッセージを受信することと、取得した擬似ランダムシーケンスを用いて、受信したスクランブリングされたダウンリンクメッセージをディスクランブリングすることと、を含む、或いは、さらに含み得る。幾つかの実施形態において、ダウンリンクメッセージは、共有チャネルダウンリンクメッセージ（例えば、物理ダウンリンク共有チャネル（ＰＤＳＣＨ）メッセージ）であり得る。
【００３３】
幾つかの実施形態において、方法は、取得した擬似ランダムシーケンスに少なくとも部分的に基づいて、参照信号を生成することと、無線ネットワークノードからダウンリンク参照信号を受信することと、無線ネットワークノードから受信したダウンリンク参照信号と無線デバイスによって生成された参照信号との比較に基づいて、ダウンリンクチャネルを推定することと、を含む。幾つかの実施形態において、参照信号は、復調参照信号（ＤＭ−ＲＳ）（例えば、物理ダウンリンク共有チャネル（ＰＤＳＣＨ）に関連付けられた復調参照信号（ＤＭ−ＲＳ））であり得る。
【００３４】
別の態様によると、幾つかの実施形態は、記載された無線デバイス機能（例えば、アクション、動作、ステップ等）の１つ以上を実行する様に適合された、１つ以上を実行する様に適合された構成された、１つ以上の実行を可能にする、或いは、１つ以上を実行する様に動作可能な無線デバイスを含む。
【００３５】
幾つかの実施形態において、無線デバイスは、１つ以上のトランシーバと、１つ以上のトランシーバに動作可能に接続された処理回路と、を有し得る。１つ以上のトランシーバは、無線デバイスが無線インタフェースを介して１つ以上の無線ネットワークノードと通信できるように構成される。処理回路は、無線デバイスが、説明された無線デバイス機能のうちの１つ以上を実行できるように構成される。幾つかの実施形態において、処理回路は、少なくとも１つのプロセッサ及び少なくとも１つのメモリを含み、メモリは、プロセッサによって実行されると、無線デバイスが説明されている無線デバイス機能の１つ以上を実行することを可能にする命令を含む。
【００３６】
幾つかの実施形態において、無線デバイスは、記載された無線デバイス機能の１つ以上を実行する様に構成された１つ以上の機能ユニット（モジュールとも呼ばれる）を含み得る。幾つかの実施形態において、これらの機能ユニットは、無線デバイスの１つ以上のトランシーバ及び処理回路により具現化され得る。
【００３７】
他の態様によると、幾つかの実施形態は、コンピュータプログラム製品を含む。コンピュータプログラム製品は、コンピュータプログラム製品の非一時的なコンピュータ可読記憶媒体に格納されたコンピュータ可読命令を含む。無線デバイスの処理回路（例えば、少なくとも１つのプロセッサ）によって命令が実行されるとき、処理回路は、説明された無線デバイス機能の１つ以上を無線デバイスが実行することを可能にする。
【００３８】
幾つかの実施形態は、有益な場合にスクランブリング又は擬似ランダムシーケンスを生成する際に使用するための初期化値の生成において、構成可能な識別子の使用を可能にし得る。
【００３９】
例示的な実施形態が、以下の図を参照してより詳細に説明される。
【図面の簡単な説明】
【００４０】
【図１】幾つかの実施形態による無線通信ネットワークの例を示す図。
【図２】幾つかの実施形態による無線ネットワークノードの動作フローチャート。
【図３】幾つかの実施形態による無線デバイスの動作フローチャート。
【図４】幾つかの実施形態による無線ネットワークノードのブロック図。
【図５】幾つかの実施形態による無線ネットワークノードの他のブロック図。
【図６】幾つかの実施形態による無線デバイスのブロック図。
【図７】幾つかの実施形態による無線デバイスの他のブロック図。
【発明を実施するための形態】
【００４１】
下記の実施形態は、当業者が実施形態を実施することを可能にするための情報を示す。添付の図面に照らして以下の説明を読めば、当業者は本開示の概念を理解し、ここでは特に言及しないこれらの概念の適用を認識するであろう。これらの概念及び用途は、本開示の範囲内にあることを理解されたい。
【００４２】
以下の説明では、多数の特定の詳細が示される。しかし、実施形態は、これらの特定の詳細なしで実施できることが理解される。他の例において、この説明の理解を不明瞭にしないために、周知の回路、構造、及び、技術については、詳細に示さない。含まれる説明を用いて、当業者は、過度の実験なしに適切な機能を実装することができるであろう。
【００４３】
本明細書における"一実施形態"、"実施形態"、"実施形態例"などへの言及は、説明された実施形態が特定の特徴、構造、又は、特性を含み得ることを示すが、すべての実施形態が必ずしも特定の特徴、構造、又は、特性を含むとは限らない。さらに、そのようなフレーズは必ずしも同じ実施形態を参照しているわけではない。さらに、特定の特徴、構造、又は、特性が実施形態に関して説明されている場合、他の実施形態に関連してそのような特性、構造、又は、特性を実装することは、明示的に記述されているか否かに拘わらず、当業者の知識の範囲内では提示されている。
【００４４】
単数形式は、文脈が明らかに他の場合を示している場合を除き、複数形式を含むことが意図される。本明細書で使用されるとき、用語"含む"、"備える"及び／又は"有する"は、記載された特徴、整数、ステップ、動作、要素、及び／又は、構成要素の存在を特定するが、１つ以上の他の特徴、整数、ステップ、動作、要素、構成要素、及び／又は、それらのグループの存在又は追加を排除しない。
【００４５】
図１は、無線通信のために使用され得る無線通信ネットワーク１００の例を示している。無線通信ネットワーク１００は、無線デバイス１１０Ａ〜１１０Ｂ（まとめて無線デバイス又はＷＤ１１０として参照する）と、複数の無線ネットワークノード１３０Ａ〜１３０Ｂ（例えば、ＵＭＴＳのＮＢ及び／又はＲＮＣ、ＬＴＥのｅＮＢ、ＮＲのｇＮＢ等）（まとめて無線ネットワークノード１３０として参照する）を含み、複数の無線ネットワークノード１３０Ａ〜１３０Ｂは、複数のコアネットワークノード（たとえば、ＵＭＴＳのＳＧＳＮ及び／又はＧＧＳＮ、ＬＴＥ／ＥＰＣのＭＭＥ、ＳＧＷ及び／又はＰＧＷ、ＮＧＣのＡＭＦ、ＳＭＦ及び／又はＵＰＦ等）（まとめてコアネットワークノードとして参照）を含み得るコアネットワーク１５０に直接又は間接的に接続される。無線通信ネットワーク１００は、ＵＭＴＳ地上無線アクセスネットワーク（ＵＴＲＡＮ）、進化型ＵＭＴＳ地上無線アクセスネットワーク（ＥＵＴＲＡＮ）、及び、次世代無線アクセスネットワーク（ＮＧ−ＲＡＮ）を含む、任意の適切な無線アクセスネットワーク（ＲＡＮ）の展開シナリオを使用し得る。カバレッジエリア１１５内の無線デバイス１１０はそれぞれ、無線インタフェースを介して無線ネットワークノード１３０と直接通信し得る。特定の実施形態において、無線デバイスはまた、デバイス間（Ｄ２Ｄ）通信を介して互いに通信することが可能であり得る。
【００４６】
一例として、無線デバイス１１０Ａは、無線インタフェースを介して無線ネットワークノード１３０Ａと通信できる。すなわち、無線デバイス１１０Ａは、無線ネットワークノード１３０Ａに無線信号を送信し、及び／又は、無線ネットワークノード１３０Ａから無線信号を受信し得る。無線信号は、音声トラフィック、データトラフィック、制御信号、及び／又は、任意の他の適切な情報を含み得る。幾つかの実施形態において、無線ネットワークノード１３０に関連付けられた無線信号カバレッジの領域は、セルとしても参照され得る。
【００４７】
無線通信ネットワーク１００の様な無線ネットワークにおいては、幾つかのダウンリンクメッセージの送信及び／又は幾つかのダウンリンク参照信号の送信に、擬似ランダムシーケンスが使用される（本明細書において、ダウンリンクは、一般的に、無線ネットワークノードから１つ以上の無線デバイスへの通信を参照し、アップリンクは、一般的に、１つ以上の無線デバイスから無線ネットワークノードへの通信を参照する。）。例えば、３ＧＰＰのＬＴＥ及び／又はＮＲ規格に従って配置された無線ネットワークにおいて、物理ダウンリンク共用チャネル（ＰＤＳＣＨ）で送信されるダウンリンクメッセージは、無線ネットワークノード（例えば、ＬＴＥにおけるｅＮＢ、ＮＲにおけるｇＮＢ）によって変調されて最終的に無線デバイス（例えば、ＬＴＥ及びＮＲにおけるＵＥ）に送信される前に、擬似ランダム（又はスクランブリング）シーケンスによりスクランブリングされる。ダウンリンクＰＤＳＣＨメッセージのスクランブリングは、（ＬＴＥの場合）３ＧＰＰのＴＳ３６．２１１  Ｖ１４．５．０のセクション６．３．１に記載され、（ＮＲの場合）３ＧＰＰのＴＳ３８．２１１  Ｖ１５．０．０のセクション７．３．１．１に記載されている。同様に、３ＧＰＰのＬＴＥ及び／又は３ＧＰＰのＮＲ標準に従って配置された無線ネットワークにおいて、ＵＥ固有の参照信号又は復調参照信号（ＤＭ−ＲＳ）などのダウンリンク参照信号は、擬似ランダムシーケンスを使用して生成される。ＤＭ−ＲＳの生成は、（ＬＴＥの場合）３ＧＰＰのＴＳ３６．２１１  Ｖ１４．５．０のセクション６．１０．３．１に記載され、（ＮＲの場合）３ＧＰＰのＴＳ３８．２１１  Ｖ１５．０．０のセクション７．４．１．１．１に記載されている。
【００４８】
上記のように、ページングメッセージ、システム情報メッセージ等の複数の無線デバイスをターゲットとするダウンリンクメッセージは、特定の識別子（たとえば、ｎＩＤ、ＮｎＳＣＩＤＩＤ）が上位レイヤ（たとえば、ＲＲＣレイヤ）により構成されている場合、無線デバイスに配信されないかもしれない。
【００４９】
広範囲な実施形態によると、初期化値の生成に使用され、上位レイヤによって構成され得る識別子（例えば、ｎＩＤ、ＮｎＳＣＩＤＩＤ）は、第１パラメータが構成されていて、かつ、第２識別子が無線デバイス固有の識別子である場合にのみ、上位レイヤによって構成されたパラメータである第１パラメータの値を取る。そうすることにより、構成可能な識別子を、必要な場合及び／又は有益な場合に特定の値に構成することができる。追加の詳細及び実施形態を以下に開示する。
【００５０】
図２は、幾つかの実施形態による無線ネットワークノード１３０の幾つかの動作を示すフローチャートである。図示するように、無線ネットワークノード１３０は、最初に、擬似ランダムシーケンス初期化値（たとえば、ｃｉｎｉｔ）を取得し、擬似ランダムシーケンス初期化値は、擬似ランダム（又はスクランブリング）シーケンスを後で取得するときに使用される（アクションＳ１００）。擬似ランダムシーケンス初期化値は、第１識別子（たとえば、ｎＩＤ、ＮｎＳＣＩＤＩＤ）に少なくとも部分的に基づく。幾つかの実施形態において、第１パラメータが構成され、かつ、第２識別子が無線デバイス固有の識別子に対応する場合、第１識別子は、第１パラメータ（例えば、Ｄａｔａ−ｓｃｒａｍｂｌｉｎｇ−Ｉｄｅｎｔｉｔｙ又はＤＬ−ＤＭＲＳ−Ｓｃｒａｍｂｌｉｎｇ−ＩＤ）に等しい。
【００５１】
幾つかの実施形態において、擬似ランダムシーケンス初期化値（例えば、ｃｉｎｉｔ）がどのように取得されるかは、擬似ランダムシーケンス初期化値の使用意図により異なり得る。たとえば、擬似ランダムシーケンス初期化値を使用して、ダウンリンクメッセージをスクランブリングするためのスクランブルシーケンスを生成又は取得する場合、擬似ランダムシーケンス初期化値は、３ＧＰＰのＴＳ３８．２１１のセクション７．３．１．１に記載されている関係
ｃｉｎｉｔ＝ｎＲＮＴＩ・２１５＋ｑ・２１４＋ｎＩＤ
を使用して取得され得る。
【００５２】
ここで、ｎＩＤは、上述した第１識別子に対応する。
【００５３】
たとえば、擬似ランダムシーケンス初期化値を使用して、ダウンリンク参照信号を生成又は取得するための擬似ランダムシーケンスを生成又は取得する場合、擬似ランダムシーケンス初期化値は、３ＧＰＰのＴＳ３８．２１１のセクション７．３．１．１に記載されている関係を
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
を使用して取得され得る。
【００５４】
ここで、ＮｎＳＣＩＤＩＤは、上述した第１識別子に対応する。
【００５５】
上記のように、擬似ランダムシーケンスの初期化値がどのように取得されるかに拘わらず、第１パラメータが（通常はＲＲＣレイヤなどの上位レイヤにより）構成され、かつ、第２識別子が無線デバイス固有の識別子に対応する場合、第１識別子の値は第１パラメータに等しい。
【００５６】
幾つかの実施形態において、第２識別子は、無線ネットワークテンポラリ識別子（ＲＮＴＩ）である。ＮＲにおいて、ＲＮＴＩは３ＧＰＰのＴＳ３８．３２１  Ｖ１５．０．０のセクション７．１にまとめられている。ただし、総てのＲＮＴＩが無線デバイス固有のＲＮＴＩであるとは限らない。例えば、ページングＲＮＴＩ（Ｐ−ＲＮＴＩ）及びシステム情報ＲＮＴＩ（ＳＩ−ＲＮＴＩ）は、一意の無線デバイスを特定しないという意味で、通常は無線デバイス固有のＲＮＴＩではない。たとえば、セルＲＮＴＩ（Ｃ−ＲＮＴＩ）、テンポラリＣ−ＲＮＴＩ及び構成されたスケジューリングＲＮＴＩ（ＣＳ−ＲＮＴＩ）は、一意の無線デバイスを特定するという意味で、通常は無線デバイス固有のＲＮＴＩである。当然のことながら、他のＲＮＴＩが存在し、さらに他のＲＮＴＩが将来開発され得る。したがって、上記のＲＮＴＩはＲＮＴＩの非限定的な例である。
【００５７】
この様に、第１パラメータが構成され、かつ、第２識別子が無線デバイス固有の識別子である場合、第１識別子は第１パラメータに等しい。
【００５８】
第１パラメータが構成されていない場合、及び／又は、第２識別子が無線デバイス固有の識別子でない場合、少なくとも２つのシナリオが存在する。
【００５９】
第１シナリオにおいては、第１パラメータが構成されていない場合、及び／又は、第２識別子が無線デバイス固有の識別子でない場合、第１識別子はデフォルト値を取る。ＮＲにおいて、このデフォルト値は、ＮｃｅｌｌＩＤ等のセル識別子であり得る。
【００６０】
幾つかの実施形態において、３ＧＰＰのＴＳ３８．２１１  Ｖ１５．０．０の以下のセクションは、第１シナリオを含む、説明された実施形態の１つ以上を可能にするために、以下のように修正され得る。
【００６１】
＝＝＝＝＜＜＜＜３ＧＰＰ  ＴＳ３８．２１１  Ｖ１５．０．０＞＞＞＞＝＝＝＝
【００６２】
７．３．１．１スクランブリング
【００６３】
最大２つのコードワードを送信でき、ｑ∈｛０，１｝。単一コードワード送信の場合、ｑ＝０。
【００６４】
各コードワードｑについて、ＵＥはビットｂ（ｑ）（０），・・・，ｂ（ｑ）（Ｍ（ｑ）ｂｉｔ−１）のブロックを想定し、ここで、Ｍ（ｑ）ｂｉｔは物理チャネルで送信されるコードワードｑのビット数であり、変調前にスクランブリングされ、結果として、
ｂ〜（ｑ）（ｉ）＝（ｂ（ｑ）（ｉ）＋ｃ（ｑ）（ｉ））ｍоｄ  ２
に従ってスクランブリングされたビットｂ〜（ｑ）（０），・・・，ｂ〜（ｑ）（Ｍ（ｑ）ｂｉｔ−１）のブロックになる。
【００６５】
ここで、スクランブリングシーケンスｃ（ｑ）（ｉ）は、５．２．１節で与えられている。スクランブルシーケンスジェネレータは、
ｃｉｎｉｔ＝ｎＲＮＴＩ・２１５＋ｑ・２１４＋ｎＩＤ
で初期化される。
【００６６】
ここで、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙが構成され、かつ、ＲＮＴＩがＣ−ＲＮＴＩ（又は別のＵＥ固有のＲＮＴＩ）に等しい場合、上位レイヤパラメータのＤａｔａ−ｓｃｒａｍｂｌｉｎｇ−Ｉｄｅｎｔｉｔｙに等しく、
−ｎＩＤ＝ＮｃｅｌｌＩＤ、その他の場合、である。
【００６７】
−−−−−
【００６８】
７．４．１．１．１シーケンスの生成
【００６９】
ＵＥは、参照信号シーケンスｒ（ｍ）が、
ｒ（ｍ）＝（１／√２）（１−２・ｃ（２ｍ））＋ｊ（１／√２）（１−２・ｃ（２ｍ＋１））
として定義されていると想定する。
【００７０】
ここで、擬似ランダムシーケンスｃ（ｉ）は５．２節で定義されている。スクランブルシーケンスジェネレータは、
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
で初期化される。
【００７１】
ここで、ｌはスロット内のＯＦＤＭシンボル番号であり、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤが提供され、かつ、ＲＮＴＩがＣ−ＲＮＴＩ（又は別のＵＥ固有のＲＮＴＩ）に等しい場合、上位レイヤパラメータのＤＬ−ＤＭＲＳ−Ｓｃｒａｍｂｌｉｎｇ−ＩＤで与えられ、
−ｎＳＣＩＤ＝０及びＮｎＳＣＩＤＩＤ＝ＮＣｅｌｌＩＤ、その他の場合、である。
【００７２】
＝＝＝＝＜＜＜＜３ＧＰＰ  ＴＳ  ３８．２１１  Ｖ１５．０．０＞＞＞＞＝＝＝＝
【００７３】
第２シナリオにおいて、第２パラメータ（たとえば、Ｄａｔａ−ｓｃｒａｍｂｌｉｎｇ−Ｉｄｅｎｔｉｔｙ−Ｃｏｍｍｏｎ又はＤＬ−ＤＭＲＳ−Ｓｃｒａｍｂｌｉｎｇ−ＩＤ−Ｃｏｍｍｏｎ）が構成され得る。その様な場合において、第２パラメータが構成され、かつ、第２識別子が無線デバイス固有の識別子でない場合、第１識別子は、第２パラメータの値を取る。
【００７４】
幾つかの実施形態において、３ＧＰＰのＴＳ３８．２１１  Ｖ１５．０．０の以下のセクションは、第２シナリオを含む、説明された実施形態の１つ以上を可能にするために、以下のように修正され得る。
【００７５】
＝＝＝＝＜＜＜＜３ＧＰＰ  ＴＳ  ３８．２１１  Ｖ１５．０．０＞＞＞＞＝＝＝＝
【００７６】
７．３．１．１スクランブリング
【００７７】
最大２つのコードワードを送信でき、ｑ∈｛０，１｝。単一コードワード送信の場合、ｑ＝０。
【００７８】
各コードワードｑについて、ＵＥはビットｂ（ｑ）（０），・・・，ｂ（ｑ）（Ｍ（ｑ）ｂｉｔ−１）のブロックを想定し、ここで、Ｍ（ｑ）ｂｉｔは物理チャネルで送信されるコードワードｑのビット数であり、変調前にスクランブリングされ、結果として、
ｂ〜（ｑ）（ｉ）＝（ｂ（ｑ）（ｉ）＋ｃ（ｑ）（ｉ））ｍоｄ  ２
に従ってスクランブリングされたビットｂ〜（ｑ）（０），・・・，ｂ〜（ｑ）（Ｍ（ｑ）ｂｉｔ−１）のブロックになる。
【００７９】
ここで、スクランブリングシーケンスｃ（ｑ）（ｉ）は、５．２．１節で与えられている。スクランブルシーケンスジェネレータは、
ｃｉｎｉｔ＝ｎＲＮＴＩ・２１５＋ｑ・２１４＋ｎＩＤ
で初期化される。
【００８０】
ここで、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙが構成され、かつ、ＲＮＴＩがＣ−ＲＮＴＩ（又は別のＵＥ固有のＲＮＴＩ）に等しい場合、上位レイヤパラメータのＤａｔａ−ｓｃｒａｍｂｌｉｎｇ−Ｉｄｅｎｔｉｔｙに等しく、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙ−Ｃｏｍｍｏｎが構成され、かつ、ＲＮＴＩがＣ−ＲＮＴＩ（又は別のＵＥ固有のＲＮＴＩ）に等しくない場合、上位レイヤパラメータのＤａｔａ−ｓｃｒａｍｂｌｉｎｇ−Ｉｄｅｎｔｉｔｙ−Ｃｏｍｍｏｎに等しく、
−ｎＩＤ＝ＮｃｅｌｌＩＤ、その他の場合、である。
【００８１】
−−−−−
【００８２】
７．４．１．１．１シーケンスの生成
【００８３】
ＵＥは、参照信号シーケンスｒ（ｍ）が、
ｒ（ｍ）＝（１／√２）（１−２・ｃ（２ｍ））＋ｊ（１／√２）（１−２・ｃ（２ｍ＋１））
として定義されていると想定する。
【００８４】
ここで、擬似ランダムシーケンスｃ（ｉ）は５．２節で定義されている。スクランブルシーケンスジェネレータは、
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
で初期化される。
【００８５】
ここで、ｌはスロット内のＯＦＤＭシンボル番号であり、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤが提供され、かつ、ＲＮＴＩがＣ−ＲＮＴＩ（又は別のＵＥ固有のＲＮＴＩ）に等しい場合、上位レイヤパラメータのＤＬ−ＤＭＲＳ−Ｓｃｒａｍｂｌｉｎｇ−ＩＤで与えられ、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤ−Ｃｏｍｍｏｎが提供され、かつ、ＲＮＴＩがＣ−ＲＮＴＩ（又は別のＵＥ固有のＲＮＴＩ）に等しくない場合、上位レイヤパラメータのＤＬ−ＤＭＲＳ−Ｓｃｒａｍｂｌｉｎｇ−ＩＤ−Ｃｏｍｍｏｎで与えられ、
−ｎＳＣＩＤ＝０及びＮｎＳＣＩＤＩＤ＝ＮＣｅｌｌＩＤ、その他の場合、である。
【００８６】
＝＝＝＝＜＜＜＜３ＧＰＰ  ＴＳ  ３８．２１１  Ｖ１５．０．０＞＞＞＞＝＝＝＝
【００８７】
当然のことながら、他のシナリオも可能である。
【００８８】
擬似ランダムシーケンス初期化値が取得されると、無線ネットワークノードは次に、以前に取得した擬似ランダムシーケンス初期化値に少なくとも部分的に基づいて、擬似ランダムシーケンスを取得する（アクションＳ１０２）。例えば、ＮＲにおいて、擬似ランダムシーケンスの生成は、３ＧＰＰのＴＳ３８．２１１  Ｖ１５．０．０のセクション５．２．１で説明されている。
【００８９】
次に、無線ネットワークノード１３０は、擬似ランダムシーケンスが、ダウンリンクメッセージに使用されるか、ダウンリンク参照信号に使用されるかに応じて、取得した擬似ランダムシーケンスを異なる様に使用し得る。
【００９０】
取得した擬似ランダムシーケンスがダウンリンクメッセージ（例えば、ＰＤＳＣＨメッセージ）に使用される場合、無線ネットワークノード１３０は、スクランブリングされたダウンリンクメッセージを、ダウンリンクメッセージが向けられる無線デバイスに送信する（アクションＳ１０６）前に、取得した擬似ランダムシーケンスでダウンリンクメッセージをスクランブリングする（アクションＳ１０４）。ダウンリンクメッセージのスクランブリングは、たとえば、３ＧＰＰのＴＳ３８．２１１  Ｖ１５．０．０のセクション７．３．１．１で説明されている。
【００９１】
取得した擬似ランダムシーケンスがダウンリンク参照信号（例えば、ＤＭ−ＲＳ）に使用される場合、無線ネットワークノード１３０は、生成した参照信号を無線デバイスに送信する（アクションＳ１１０）前に、取得した擬似ランダムシーケンスに少なくとも部分的に基づいて、ダウンリンク参照信号を生成する（アクションＳ１０８）。ダウンリンク参照信号（ＤＭ−ＲＳ）の生成は、たとえば、３ＧＰＰのＴＳ３８．２１１  Ｖ１５．０．０のセクション７．４．１．１で説明されている。
【００９２】
図３は、幾つかの実施形態による無線デバイス１１０の幾つかの動作のフローチャートを示している。図示するように、無線デバイス１１０は、最初に、擬似ランダムシーケンス初期化値（たとえば、ｃｉｎｉｔ）を取得し、擬似ランダムシーケンス初期化値は、擬似ランダム（又はスクランブリング）シーケンスを後で取得するときに使用される（アクションＳ２００）。擬似ランダムシーケンス初期化値は、第１識別子（たとえば、ｎＩＤ、ＮｎＳＣＩＤＩＤ）に少なくとも部分的に基づく。幾つかの実施形態において、第１パラメータが構成され、かつ、第２識別子が無線デバイス固有の識別子に対応する場合、第１識別子は第１パラメータに等しい。
【００９３】
幾つかの実施形態において、擬似ランダムシーケンス初期化値（例えば、ｃｉｎｉｔ）がどのように取得されるかは、擬似ランダムシーケンス初期化値の使用意図により異なり得る。たとえば、擬似ランダムシーケンス初期化値を使用して、ダウンリンクメッセージをスクランブリングするためのスクランブルシーケンスを生成又は取得する場合、擬似ランダムシーケンス初期化値は、３ＧＰＰのＴＳ３８．２１１のセクション７．３．１．１で説明されている関係
ｃｉｎｉｔ＝ｎＲＮＴＩ・２１５＋ｑ・２１４＋ｎＩＤ
を使用して取得され得る。
【００９４】
ここで、ｎＩＤは、上述した第１識別子に対応する。
【００９５】
たとえば、擬似ランダムシーケンス初期化値を使用して、ダウンリンク参照信号を生成又は取得するための擬似ランダムシーケンスを生成又は取得する場合、擬似ランダムシーケンス初期化値は、３ＧＰＰのＴＳ３８．２１１のセクション７．３．１．１で説明されている関係
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
を使用して取得され得る。
【００９６】
ここで、ＮｎＳＣＩＤＩＤは、上述した第１識別子に対応する。
【００９７】
上記のように、擬似ランダムシーケンスの初期化値がどのように取得されるかに拘わらず、第１パラメータが（通常はＲＲＣレイヤなどの上位レイヤにより）構成され、かつ、第２識別子が無線デバイス固有の識別子に対応する場合、第１識別子の値は第１パラメータに等しい。
【００９８】
幾つかの実施形態において、第２識別子は、無線ネットワークテンポラリ識別子（ＲＮＴＩ）である。ＮＲにおいて、ＲＮＴＩは３ＧＰＰのＴＳ３８．３２１  Ｖ１５．０．０のセクション７．１にまとめられている。ただし、すべてのＲＮＴＩが無線デバイス固有のＲＮＴＩであるとは限らない。たとえば、ページングＲＮＴＩ（Ｐ−ＲＮＴＩ）及びシステム情報ＲＮＴＩ（ＳＩ−ＲＮＴＩ）は、一意の無線デバイスを特定しないという意味で、通常は無線デバイス固有のＲＮＴＩではない。たとえば、セルＲＮＴＩ（Ｃ−ＲＮＴＩ）、テンポラリＣ−ＲＮＴＩ及び構成されたスケジューリングＲＮＴＩ（ＣＳ−ＲＮＴ）は、一意の無線デバイスを特定するという意味で、通常は無線デバイス固有のＲＮＴＩである。当然のことながら、他のＲＮＴＩが存在し、さらに他のＲＮＴＩが将来開発され得る。したがって、上記のＲＮＴＩはＲＮＴＩの非限定的な例である。
【００９９】
この様に、第１パラメータが構成され、かつ、第２識別子が無線デバイス固有の識別子である場合、第１識別子は第１パラメータに等しい。
【０１００】
第１パラメータが設定されていない場合、及び／又は、第２識別子が無線デバイス固有の識別子でない場合は、少なくとも２つのシナリオが存在する。
【０１０１】
第１シナリオにおいては、第１パラメータが構成されていない場合、及び／又は、第２識別子が無線デバイス固有の識別子でない場合、第１識別子はデフォルト値を取る。ＮＲにおいて、このデフォルト値は、ＮｃｅｌｌＩＤ等のセル識別子であり得る。
【０１０２】
幾つかの実施形態において、３ＧＰＰのＴＳ３８．２１１  Ｖ１５．０．０の以下のセクションは、第１シナリオを含む、説明された実施形態の１つ以上を可能にするために、以下のように修正され得る。
【０１０３】
＝＝＝＝＜＜＜＜３ＧＰＰ  ＴＳ  ３８．２１１  Ｖ１５．０．０＞＞＞＞＝＝＝＝
【０１０４】
７．３．１．１スクランブリング
【０１０５】
最大２つのコードワードを送信でき、ｑ∈｛０，１｝。単一コードワード送信の場合、ｑ＝０。
【０１０６】
各コードワードｑについて、ＵＥはビットｂ（ｑ）（０），・・・，ｂ（ｑ）（Ｍ（ｑ）ｂｉｔ−１）のブロックを想定し、ここで、Ｍ（ｑ）ｂｉｔは物理チャネルで送信されるコードワードｑのビット数であり、変調前にスクランブリングされ、結果として、
ｂ〜（ｑ）（ｉ）＝（ｂ（ｑ）（ｉ）＋ｃ（ｑ）（ｉ））ｍоｄ  ２
に従ってスクランブリングされたビットｂ〜（ｑ）（０），・・・，ｂ〜（ｑ）（Ｍ（ｑ）ｂｉｔ−１）のブロックになる。
【０１０７】
ここで、スクランブリングシーケンスｃ（ｑ）（ｉ）は、５．２．１節で与えられている。スクランブルシーケンスジェネレータは、
ｃｉｎｉｔ＝ｎＲＮＴＩ・２１５＋ｑ・２１４＋ｎＩＤ
で初期化される。
【０１０８】
ここで、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙが構成され、かつ、ＲＮＴＩがＣ−ＲＮＴＩ（又は別のＵＥ固有のＲＮＴＩ）に等しい場合、上位レイヤパラメータのＤａｔａ−ｓｃｒａｍｂｌｉｎｇ−Ｉｄｅｎｔｉｔｙに等しく、
−ｎＩＤ＝ＮｃｅｌｌＩＤ、その他の場合、である。
【０１０９】
−−−−−
【０１１０】
７．４．１．１．１シーケンスの生成
【０１１１】
ＵＥは、参照信号シーケンスｒ（ｍ）が、
ｒ（ｍ）＝（１／√２）（１−２・ｃ（２ｍ））＋ｊ（１／√２）（１−２・ｃ（２ｍ＋１））
として定義されていると想定する。
【０１１２】
ここで、擬似ランダムシーケンスｃ（ｉ）は５．２節で定義されている。スクランブルシーケンスジェネレータは、
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
で初期化される。
【０１１３】
ここで、ｌはスロット内のＯＦＤＭシンボル番号であり、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤが提供され、かつ、ＲＮＴＩがＣ−ＲＮＴＩ（又は別のＵＥ固有のＲＮＴＩ）に等しい場合、上位レイヤパラメータのＤＬ−ＤＭＲＳ−Ｓｃｒａｍｂｌｉｎｇ−ＩＤで与えられ、
−ｎＳＣＩＤ＝０及びＮｎＳＣＩＤＩＤ＝ＮＣｅｌｌＩＤ、その他の場合、である。
【０１１４】
＝＝＝＝＜＜＜＜３ＧＰＰ  ＴＳ  ３８．２１１  Ｖ１５．０．０＞＞＞＞＝＝＝＝
【０１１５】
第２シナリオにおいて、第２パラメータ（たとえば、Ｄａｔａ−ｓｃｒａｍｂｌｉｎｇ−Ｉｄｅｎｔｉｔｙ−Ｃｏｍｍｏｎ又はＤＬ−ＤＭＲＳ−Ｓｃｒａｍｂｌｉｎｇ−ＩＤ−Ｃｏｍｍｏｎ）が構成され得る。その様な場合、第２パラメータが構成され、かつ、第２識別子が無線デバイス固有の識別子でない場合、第１識別子は、第２パラメータの値を取る。
【０１１６】
幾つかの実施形態において、３ＧＰＰのＴＳ３８．２１１  Ｖ１５．０．０の以下のセクションは、第２シナリオを含む、説明された実施形態の１つ以上を可能にするために、以下のように修正され得る。
【０１１７】
＝＝＝＝＜＜＜＜３ＧＰＰ  ＴＳ  ３８．２１１  Ｖ１５．０．０＞＞＞＞＝＝＝＝
【０１１８】
７．３．１．１スクランブリング
【０１１９】
最大２つのコードワードを送信でき、ｑ∈｛０，１｝。単一コードワード送信の場合、ｑ＝０。
【０１２０】
各コードワードｑについて、ＵＥはビットｂ（ｑ）（０），・・・，ｂ（ｑ）（Ｍ（ｑ）ｂｉｔ−１）のブロックを想定し、ここで、Ｍ（ｑ）ｂｉｔは物理チャネルで送信されるコードワードｑのビット数であり、変調前にスクランブリングされ、結果として、
ｂ〜（ｑ）（ｉ）＝（ｂ（ｑ）（ｉ）＋ｃ（ｑ）（ｉ））ｍоｄ  ２
に従ってスクランブリングされたビットｂ〜（ｑ）（０），・・・，ｂ〜（ｑ）（Ｍ（ｑ）ｂｉｔ−１）のブロックになる。
【０１２１】
ここで、スクランブリングシーケンスｃ（ｑ）（ｉ）は、５．２．１節で与えられている。スクランブルシーケンスジェネレータは、
ｃｉｎｉｔ＝ｎＲＮＴＩ・２１５＋ｑ・２１４＋ｎＩＤ
で初期化される。
【０１２２】
ここで、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙが構成され、かつ、ＲＮＴＩがＣ−ＲＮＴＩ（又は別のＵＥ固有のＲＮＴＩ）に等しい場合、上位レイヤパラメータのＤａｔａ−ｓｃｒａｍｂｌｉｎｇ−Ｉｄｅｎｔｉｔｙに等しく、
−ｎＩＤ∈｛０，１，・・・，１０２３｝は、上位レイヤパラメータのＤａｔａ−ｓｃｒａｍｂｌｉｎｇ−Ｉｄｅｎｔｉｔｙ−Ｃｏｍｍｏｎが構成され、かつ、ＲＮＴＩがＣ−ＲＮＴＩ（又は別のＵＥ固有のＲＮＴＩ）に等しくない場合、上位レイヤパラメータのＤａｔａ−ｓｃｒａｍｂｌｉｎｇ−Ｉｄｅｎｔｉｔｙ−Ｃｏｍｍｏｎに等しく、
−ｎＩＤ＝ＮｃｅｌｌＩＤ、その他の場合、である。
【０１２３】
−−−−−
【０１２４】
７．４．１．１．１シーケンスの生成
【０１２５】
ＵＥは、参照信号シーケンスｒ（ｍ）が、
ｒ（ｍ）＝（１／√２）（１−２・ｃ（２ｍ））＋ｊ（１／√２）（１−２・ｃ（２ｍ＋１））
として定義されていると想定する。
【０１２６】
ここで、擬似ランダムシーケンスｃ（ｉ）は５．２節で定義されている。スクランブルシーケンスジェネレータは、
ｃｉｎｉｔ＝（２１７（１４ｎｓ＋ｌ＋１）（２ＮｎＳＣＩＤＩＤ＋１）＋２ＮｎＳＣＩＤＩＤ＋ｎＳＣＩＤ）  ｍоｄ  ２３１
で初期化される。
【０１２７】
ここで、ｌはスロット内のＯＦＤＭシンボル番号であり、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤが提供され、かつ、ＲＮＴＩがＣ−ＲＮＴＩ（又は別のＵＥ固有のＲＮＴＩ）に等しい場合、上位レイヤパラメータのＤＬ−ＤＭＲＳ−Ｓｃｒａｍｂｌｉｎｇ−ＩＤで与えられ、
−ｎＳＣＩＤ∈｛０，１｝及びＮｎＳＣＩＤＩＤ∈｛０，１，・・・，６５５３５｝は、上位レイヤパラメータのＤＬ−ＤＭＲＳ−Ｓｃｒａｍｂｌｉｎｇ−ＩＤ−Ｃｏｍｍｏｎが提供され、かつ、ＲＮＴＩがＣ−ＲＮＴＩ（又は別のＵＥ固有のＲＮＴＩ）に等しくない場合、上位レイヤパラメータのＤＬ−ＤＭＲＳ−Ｓｃｒａｍｂｌｉｎｇ−ＩＤ−Ｃｏｍｍｏｎで与えられ、
−ｎＳＣＩＤ＝０及びＮｎＳＣＩＤＩＤ＝ＮＣｅｌｌＩＤ、その他の場合、である。
【０１２８】
＝＝＝＝＜＜＜＜３ＧＰＰ  ＴＳ  ３８．２１１  Ｖ１５．０．０＞＞＞＞＝＝＝＝
【０１２９】
当然のことながら、他のシナリオも可能である。
【０１３０】
擬似ランダムシーケンス初期化値が取得されると、無線デバイスは次に、以前に取得した擬似ランダムシーケンス初期化値に少なくとも部分的に基づいて、擬似ランダムシーケンスを取得する（アクションＳ２０２）。例えば、ＮＲにおいて、擬似ランダムシーケンスの生成は、３ＧＰＰのＴＳ３８．２１１  Ｖ１５．０．０のセクション５．２．１で説明されている。
【０１３１】
次に、無線デバイス１１０は、擬似ランダムシーケンスが、ダウンリンクメッセージに使用されるか、ダウンリンク参照信号に使用されるかに応じて、取得した擬似ランダムシーケンスを異なる様に使用し得る。
【０１３２】
取得した擬似ランダムシーケンスがダウンリンクメッセージ（例えば、ＰＤＳＣＨメッセージ）で使用される場合、無線デバイス１１０は、通常、送信無線ネットワークノードによってスクランブリングされたダウンリンクメッセージ（アクションＳ１０４）をまず受信し（アクションＳ２０４）、その後、取得した擬似ランダムシーケンスを使用して受信した（及びスクランブリングされた）ダウンリンクメッセージをディスクランブリングする（アクションＳ２０６）。
【０１３３】
取得した擬似ランダムシーケンスがダウンリンク参照信号（例えば、ＤＭ−ＲＳ）に使用される場合、無線デバイス１１０は、取得した擬似ランダムシーケンスに少なくとも部分的に基づいて、（ローカル）ダウンリンク参照信号を生成する（アクションＳ２０８）。無線デバイス１１０は、また、無線ネットワークノードからダウンリンク参照信号（例えば、ＤＭ−ＲＳ）を受信する（アクションＳ２１０）。次いで、無線デバイスは、無線ネットワークノードから受信したダウンリンク参照信号と、無線デバイスが生成した参照信号との比較に基づいて、ダウンリンクチャネルを推定する（アクションＳ２１２）。チャネル推定の結果は、例えば、無線ネットワークノード１３０から受信されたダウンリンクメッセージを復調する際に使用され得る。
【０１３４】
無線ネットワークノード１３０の実施形態を、図４及び図５を参照して説明する。本明細書で使用されるとき、"無線ネットワークノード"は、信号を無線で送信及び／又は受信するように動作する、無線通信ネットワークの無線アクセスネットワーク内の任意のノードである。特に、無線ネットワークノードを参照又は説明する場合、さまざまな通信規格で異なる用語が使用されることがある。たとえば、基地局に加えて、３ＧＰＰはノードＢ（ＮＢ）、進化型ノードＢ（ｅＮＢ）、及び、次世代ノードＢ（ｇＮＢ）も使用する。ＩＥＥＥ８０２．１１（ＷｉＦｉ（登録商標）としても知られる）では、アクセスポイント（ＡＰ）という用語を使用する。無線ネットワークノードの幾つかの例は、基地局（例えば、第３世代パートナーシッププロジェクト（３ＧＰＰ）の第５世代（５Ｇ）ＮＲネットワークのニューレディオ（ＮＲ）基地局（ｇＮＢ）、又は、３ＧＰＰのロングタームエボリューション（ＬＴＥ）ネットワークにおける拡張型又は進化型ノードＢ（ｅＮＢ））、高電力又はマクロ基地局、低電力基地局（例えば、マイクロ基地局、ピコ基地局、ホームｅＮＢ等）、及び、リレーノードを含むが、これらに限定されない。
【０１３５】
図４は、幾つかの実施形態による例示的な無線ネットワークノード１３０のブロック図である。無線ネットワークノード１３０は、１つ以上のトランシーバ１３２と、プロセッサ１３４と、メモリ１３６と、１つ以上の通信インタフェース１４６と、を含み得る。幾つかの実施形態において、トランシーバ１３２は、無線デバイス１１０との無線信号の送受信を促進する（例えば、送信機（Ｔｘ）１３８、受信機（Ｒｘ）１４０及びアンテナ１４２を介して）。プロセッサ１３４は、無線ネットワークノード１３０によって提供されるものとして上述した機能の一部又は全部を提供するための命令を実行し、メモリ１３６は、プロセッサ１３４によって実行される命令を格納する。幾つかの実施形態において、プロセッサ１３４及びメモリ１４４は、処理回路１４４を形成する。通信インタフェース１４６は、無線ネットワーク１３０が、他の無線ネットワークノード（無線アクセスネットワークインターフェースを介して）及びコアネットワークノード（コアネットワークインターフェースを介して）を含む他のネットワークノードと通信することを可能にする。
【０１３６】
プロセッサ１３４は、上述した様に、命令を実行し、無線ネットワークノード１３０の説明された機能の幾つか又は総てを実行するようにデータを操作するためのハードウェアの任意の適切な組み合わせ含み得る。幾つかの実施形態において、プロセッサ１３４は、例えば、１つ以上のコンピュータ、１つ以上の中央処理装置（ＣＰＵ）、１つ以上のマイクロプロセッサ、１つ以上の特定用途向け集積回路（ＡＳＩＣ）、１つ以上のフィールドプログラマブルゲートアレイ（ＦＰＧＡ）、及び／又は、その他のロジックを含み得る。
【０１３７】
メモリ１３６は、一般的に、１つ以上のロジック、ルール、アルゴリズム、コード、テーブル等、及び／又は、プロセッサにより実行され得る他の命令を含む、コンピュータプログラム、ソフトウェア、アプリケーションの様な命令を格納する様に動作する。メモリの例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【０１３８】
幾つかの実施形態において、通信インタフェース１４６は、プロセッサ１３４と通信可能に結合され、無線ネットワークノード１３０への入力を受信し、無線ネットワークノード１３０からの出力を送信し、入力、出力若しくは入出力の適切な処理を実行し、他のデバイスと通信し、或いは、それらの任意の組み合わせを行うことが可能な任意の適切なデバイスを参照する。通信インタフェース１４６は、ネットワークを介して通信するための、適切なハードウェア（例えば、ポート、モデム、ネットワークインタフェースカード等）と、プロトコル変換及びデータ処理能力を含むソフトウェアと、を含み得る。
【０１３９】
無線ネットワークノード１３０の他の実施形態は、上述した任意の機能及び／又は追加の機能（上述した解決策をサポートするのに必要な任意の機能を含む）を含む、無線ネットワークノードの機能のある態様を提供するのに責任を負う、図４に示す以外の追加のコンポーネントを含み得る。ネットワークノードの種々の異なるタイプは、同じ物理的なハードウェアを有するが、異なる無線アクセス技術をサポートする様に構成（例えば、プログラミングを介して）されたコンポーネント、或いは、部分的若しくは完全に異なる物理コンポーネントを含み得る。
【０１４０】
幾つかの実施形態において、無線ネットワークノード１３０は、上述の無線ネットワークノード１３０の幾つか又は総ての機能を実装するように構成された一連のモジュール（又はユニット）１４８を備え得る。図５を参照すると、幾つかの実施形態において、無線ネットワークノード１３０は、擬似ランダムシーケンス初期化値を取得する様に構成された（第１）取得モジュールであって、擬似ランダムシーケンス初期化値は、少なくとも部分的に第１識別子に基づき、第１パラメータが構成され、かつ、第２識別子が無線デバイス固有の識別子に対応する場合、第１識別子は第１パラメータに等しい、（第１）取得モジュールと、擬似ランダムシーケンスの初期化値に少なくとも部分的に基づいて、擬似ランダムシーケンスを取得する様に構成された（第２）取得モジュールと、を備えている。幾つかの実施形態において、無線ネットワークノード１３０は、取得した擬似ランダムシーケンスでダウンリンクメッセージをスクランブリングする様に構成されたスクランブリングモジュールと、スクランブリングされたダウンリンクメッセージを無線デバイスに送信する様に構成された送信モジュールと、を備え、又は、さらに備えている。追加して、或いは、代わりに、幾つかの実施形態において、無線ネットワークノード１３０は、取得した擬似ランダムシーケンスに少なくとも部分的に基づいてダウンリンク参照信号を生成する様に構成された生成モジュールと、生成したダウンリンク参照信号を無線デバイスに送信する様に構成された送信モジュールと、を備え、又は、さらに備えている。
【０１４１】
様々なモジュール１４８は、ハードウェア及び／又はソフトウェア、例えば、図４に示される無線ネットワークノード１３０のプロセッサ１３４、メモリ１３６、及び、トランシーバ１３２の組み合わせとして実装され得ることが理解されよう。幾つかの実施形態はまた、追加の及び／又はオプションの機能をサポートするための追加のモジュール１４８を含み得る。
【０１４２】
無線デバイス１１０の幾つかの実施形態を、図６及び図７を参照して説明する。"無線デバイス"という表現が説明全体で使用されているが、この表現は一般的に使用されていることを理解されたい。その意味で、無線デバイス（ＷＤ）は一般に、１つ以上のネットワークノード（たとえば、無線ネットワークノード）及び／又は１つ以上の他の無線デバイスと無線で通信することができる、構成、配置及び／又は動作可能なデバイスを参照する。特に、無線デバイスを参照又は説明する場合、さまざまな通信規格で異なる用語が使用されることがある。たとえば、３ＧＰＰはユーザ装置（ＵＥ）及びモバイル端末（ＭＴ）という用語を使用する。たとえば、３ＧＰＰ２はアクセス端末（ＡＴ）及びモバイル局（ＭＳ）という用語を使用する。ＩＥＥＥ８０２．１１（ＷｉＦｉ（登録商標）としても知られる）では、局（ＳＴＡ）という用語を使用する。幾つかの実施形態において、無線デバイスは、人間との直接的な相互作用無しに情報を送信及び／又は受信するように構成され得る。そのような無線デバイスは、マシンタイプコミュニケーション（ＭＴＣ）デバイス又はマシンツーマシン（Ｍ２Ｍ）デバイスとして参照され得る。
【０１４３】
図６は、幾つかの実施形態による無線デバイス１１０の例示的なブロック図である。無線デバイス１１０は、トランシーバ１１２、プロセッサ１１４、及びメモリ１１６のうちの１つ以上を含む。幾つかの実施形態において、トランシーバ１１２は、無線ネットワークノード１３０との無線信号の送受信を促進する（例えば、送信機（Ｔｘ）１１８、受信機（Ｒｘ）１２０及びアンテナ１２２を介して）。プロセッサ１１４は、無線デバイス１１０によって提供されるものとして上述した機能の一部又は全部を提供するための命令を実行し、メモリ１１６は、プロセッサ１１４によって実行される命令を格納する。幾つかの実施形態において、プロセッサ１１４及びメモリ１１６は、処理回路１２４を形成する。
【０１４４】
プロセッサ１１４は、上述した様に、命令を実行し、無線デバイス１１０の説明された機能の幾つか又は総て実行するようにデータを操作するためのハードウェアの任意の適切な組み合わせ含み得る。幾つかの実施形態において、プロセッサ１１４は、例えば、１つ以上のコンピュータ、１つ以上の中央処理装置（ＣＰＵ）、１つ以上のマイクロプロセッサ、１つ以上の特定用途向け集積回路（ＡＳＩＣ）、１つ以上のフィールドプログラマブルゲートアレイ（ＦＰＧＡ）、及び／又は、その他のロジックを含み得る。
【０１４５】
メモリ１１６は、一般的に、１つ以上のロジック、ルール、アルゴリズム、コード、テーブル等、及び／又は、プロセッサにより実行され得る他の命令を含む、コンピュータプログラム、ソフトウェア、アプリケーションの様な命令を格納する様に動作する。メモリの例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、無線デバイス１１０のプロセッサによって使用され得る情報、データ、及び／又は命令を格納する、任意の他の揮発性若しくは不揮発性、コンピュータ可読及び／又はコンピュータ実行可能なメモリデバイスを含む。
【０１４６】
無線デバイス１１０の他の実施形態は、上述した任意の機能及び／又は追加の機能（上述した解決策をサポートするのに必要な任意の機能を含む）を含む、無線デバイスの機能のある態様を提供するのに責任を負う、図６に示す以外の追加のコンポーネントを含み得る。ほんの一例として、無線デバイス１１０は、入力デバイス及び回路、出力デバイス、及びプロセッサの一部であり得る１つ以上の同期ユニット又は回路を含み得る。入力デバイスは、無線デバイス１１０にデータを入力するためのメカニズムを含む。一例として、無線デバイス１１０は、入力デバイス及び出力デバイスなどの追加のハードウェア１２６を含み得る。入力デバイスには、マイク、入力要素、ディスプレイなどの入力メカニズムが含まれる。出力デバイスには、オーディオ、ビデオ、及び／又はハードコピー形式でデータを出力するメカニズムが含まれる。例えば、出力デバイスは、スピーカ、ディスプレイなどを含み得る。
【０１４７】
図７は、幾つかの実施形態による無線デバイス１１０の他の例示的なブロック図である。図示する様に、幾つかの実施形態において、無線デバイス１１０は、上述の無線デバイス１１０の幾つか又はすべての機能を実装するように構成された一連のモジュール（又はユニット）１２８を備え得る。より詳しくは、幾つかの実施形態において、無線デバイス１１０は、擬似ランダムシーケンス初期化値を取得する様に構成された（第１）取得モジュールであって、擬似ランダムシーケンス初期化値は、少なくとも部分的に第１識別子に基づき、第１パラメータが構成され、かつ、第２識別子が無線デバイス固有の識別子に対応する場合、第１識別子は第１パラメータに等しい、（第１）取得モジュールと、擬似ランダムシーケンスの初期化値に少なくとも部分的に基づいて擬似ランダムシーケンスを取得する様に構成された（第２）取得モジュールと、を備えている。幾つかの実施形態において、無線デバイスは、無線ネットワークノードからスクランブリングされたダウンリンクメッセージを受信する様に構成された受信モジュールと、取得した擬似ランダムシーケンスを用いて、受信したスクランブリングされたダウンリンクメッセージをディスクランブリングする様に構成されたアンスクランブリングモジュールと、を備え、又は、さらに備えている。追加して、又は、代わりに、無線デバイスは、取得した擬似ランダムシーケンスに少なくとも部分的に基づいて、参照信号を生成する様に構成された生成モジュールと、無線ネットワークノードからダウンリンク参照信号を受信する様に構成された受信モジュールと、無線ネットワークノードから受信したダウンリンク参照信号と無線デバイスによって生成された参照信号との比較に基づいて、ダウンリンクチャネルを推定する様に構成された推定モジュールと、を備え、又は、さらに備えている。
【０１４８】
様々なモジュール１２８は、ハードウェア及び／又はソフトウェア、例えば、図６に示される無線デバイス１１０のプロセッサ１１４、メモリ１１６、及びトランシーバ１１２の組み合わせとして実装され得ることが理解されよう。幾つかの実施形態はまた、追加の及び／又はオプションの機能をサポートするための追加のモジュール１２８を含み得る。
【０１４９】
幾つかの実施形態は、機械可読媒体（コンピュータ可読媒体、プロセッサ可読媒体、又はコンピュータ可読プログラムコードが組み込まれたコンピュータ使用可能媒体しても参照される）に格納された非一時的なソフトウェア製品として表され得る。機械可読媒体は、ディスケット、コンパクトディスク読み取り専用メモリ（ＣＤ−ＲＯＭ）、デジタル多用途ディスク読み取り専用メモリ（ＤＶＤ−ＲＯＭ）メモリデバイス（揮発性又は不揮発性）、又は、同様のストレージメカニズムを含む、磁気、光、電気的格納媒体を含む、任意の適切な有形媒体であり得る。機械可読媒体は、命令、コードシーケンス、構成情報、又は他のデータの様々なセットを含むことができ、実行されると、説明される実施形態の１つ又は複数による方法のステップをプロセッサに実行させる。当業者は、説明された実施形態を実装するために必要な他の命令及び動作もまた、機械可読媒体に格納され得ることを理解するであろう。機械可読媒体から実行されるソフトウェアは、説明されたタスクを実行するために回路とインタフェースし得る。
【０１５０】
上述の実施形態は、単なる例であることが意図されている。当業者は、説明の範囲から逸脱することなく、特定の実施形態に対して変更、修正、及び変形を行うことができる。
【０１５１】
略語
本開示は、以下の略語の１つ以上を含み得る：
ＣＣＥ：制御チャネルエレメント
ＤＡＩ：ダウンリンク割り当てインデクス
ＤＣＩ：下りリンク制御情報
ＨＡＲＱ：ハイブリッド自動再送要求
ＰＤＣＣＨ：物理ダウンリンク制御チャネル
ＰＵＳＣＨ：物理上りリンク共用チャネル
ＵＣＩ：上りリンク制御情報
ＵＬーＳＣＨ：アップリンク共用チャネル
【０１５２】
関連する標準リファレンス
以下の参照は、本開示に関連し得る。
３ＧＰＰ  ＴＳ  ３８．２１１  Ｖ１５．０．０
３ＧＰＰ  ＴＳ  ３６．２１１  Ｖ１４．５．０
【図１】
2021520663.tif 000003
【図２】
2021520663.tif 000004
【図３】
2021520663.tif 000005
【図４】
2021520663.tif 000006
【図５】
2021520663.tif 000007
【図６】
2021520663.tif 000008
【図７】
2021520663.tif 000009
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
ネットワークノードでの方法であって、
第１識別子に少なくとも部分的に基づいて、擬似ランダムシーケンス初期化値を取得することであって、第１パラメータが構成され、かつ、第２識別子が無線デバイス固有の識別子に対応する場合、前記第１識別子は前記第１パラメータに等しい、前記擬似ランダムシーケンス初期化値を取得することと、
前記擬似ランダムシーケンス初期化値に少なくとも部分的に基づいて、擬似ランダムシーケンスを取得することと、を含む方法。
【請求項２】
請求項１に記載の方法であって、
前記第１パラメータが構成されていない場合、又は、前記第２識別子が無線デバイス固有の識別子に対応しない場合、前記第１識別子はセル識別子に等しい、方法。
【請求項３】
請求項１又は２に記載の方法であって、
第２パラメータが構成され、かつ、前記第２識別子が無線デバイス固有の識別子に対応しない場合、前記第１識別子は前記第２パラメータに等しい、方法。
【請求項４】
請求項１から３のいずれか１項に記載の方法であって、
前記第２識別子は、無線ネットワークテンポラリ識別子（ＲＮＴＩ）である、方法。
【請求項５】
請求項４に記載の方法であって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、方法。
【請求項６】
請求項１から５のいずれか１項に記載の方法であって、さらに、
取得した前記擬似ランダムシーケンスでダウンリンクメッセージをスクランブリングすることと、
スクランブリングされた前記ダウンリンクメッセージを無線デバイスに送信することと、を含む方法。
【請求項７】
請求項６に記載の方法であって、
前記ダウンリンクメッセージは、共有チャネルダウンリンクメッセージである、方法。
【請求項８】
請求項６又は７に記載の方法であって、
前記ダウンリンクメッセージは、物理ダウンリンク共有チャネル（ＰＤＳＣＨ）メッセージである、方法。
【請求項９】
請求項１から５のいずれか１項に記載の方法であって、さらに、
取得した前記擬似ランダムシーケンスに少なくとも部分的に基づいて、ダウンリンク参照信号を生成することと、
生成した前記ダウンリンク参照信号を無線デバイスに送信することと、を含む方法。
【請求項１０】
請求項９に記載の方法であって、
前記ダウンリンク参照信号は、復調参照信号（ＤＭ−ＲＳ）である、方法。
【請求項１１】
請求項９又は１０に記載の方法であって、
前記ダウンリンク参照信号は、物理ダウンリンク共有チャネル（ＰＤＳＣＨ）に関連付けられた復調参照信号（ＤＭ−ＲＳ）である、方法。
【請求項１２】
無線ネットワークノードであって、
第１パラメータが構成され、かつ、第２識別子が無線デバイス固有の識別子に対応する場合、前記第１パラメータに等しい第１識別子に少なくとも部分的に基づいて、擬似ランダムシーケンス初期化値を取得し、
前記擬似ランダムシーケンス初期化値に少なくとも部分的に基づいて、擬似ランダムシーケンスを取得する様に構成されている、無線ネットワークノード。
【請求項１３】
請求項１２に記載の無線ネットワークノードであって、
前記第１パラメータが構成されていない場合、又は、前記第２識別子が無線デバイス固有の識別子に対応しない場合、前記第１識別子はセル識別子に等しい、無線ネットワークノード。
【請求項１４】
請求項１２又は１３に記載の無線ネットワークノードであって、
第２パラメータが構成され、かつ、前記第２識別子が無線デバイス固有の識別子に対応しない場合、前記第１識別子は前記第２パラメータに等しい、無線ネットワークノード。
【請求項１５】
請求項１２から１４のいずれか１項に記載の無線ネットワークノードであって、
前記第２識別子は、無線ネットワークテンポラリ識別子（ＲＮＴＩ）である、無線ネットワークノード。
【請求項１６】
請求項１５に記載の無線ネットワークノードであって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、無線ネットワークノード。
【請求項１７】
請求項１２から１６のいずれか１項に記載の無線ネットワークノードであって、さらに、
取得した前記擬似ランダムシーケンスでダウンリンクメッセージをスクランブリングし、
スクランブリングされた前記ダウンリンクメッセージを無線デバイスに送信する様に構成されている、無線ネットワークノード。
【請求項１８】
請求項１７に記載の無線ネットワークノードであって、
前記ダウンリンクメッセージは、共有チャネルダウンリンクメッセージである、無線ネットワークノード。
【請求項１９】
請求項１７又は１８に記載の無線ネットワークノードであって、
前記ダウンリンクメッセージは、物理ダウンリンク共有チャネル（ＰＤＳＣＨ）メッセージである、無線ネットワークノード。
【請求項２０】
請求項１２から１７のいずれか１項に記載の無線ネットワークノードであって、さらに、
取得した前記擬似ランダムシーケンスに少なくとも部分的に基づいて、ダウンリンク参照信号を生成し、
生成した前記ダウンリンク参照信号を無線デバイスに送信する様に構成されている、無線ネットワークノード。
【請求項２１】
請求項２０に記載の無線ネットワークノードであって、
前記ダウンリンク参照信号は、復調参照信号（ＤＭ−ＲＳ）である、無線ネットワークノード。
【請求項２２】
請求項２０又は２１に記載の無線ネットワークノードであって、
前記ダウンリンク参照信号は、物理ダウンリンク共有チャネル（ＰＤＳＣＨ）に関連付けられた復調参照信号（ＤＭ−ＲＳ）である、無線ネットワークノード。
【請求項２３】
デバイスの１つ以上のプロセッサにより実行されると、前記デバイスに請求項１から１１のいずれか１項に記載の方法を実行させる、コンピュータプログラム。
【請求項２４】
無線デバイスでの方法であって、
第１識別子に少なくとも部分的に基づいて、擬似ランダムシーケンス初期化値を取得することであって、第１パラメータが構成され、かつ、第２識別子が無線デバイス固有の識別子に対応する場合、前記第１識別子は前記第１パラメータに等しい、前記擬似ランダムシーケンス初期化値を取得することと、
前記擬似ランダムシーケンス初期化値に少なくとも部分的に基づいて、擬似ランダムシーケンスを取得することと、を含む方法。
【請求項２５】
請求項２４に記載の方法であって、
前記第１パラメータが構成されていない場合、又は、前記第２識別子が無線デバイス固有の識別子に対応しない場合、前記第１識別子はセル識別子に等しい、方法。
【請求項２６】
請求項２４又は２５に記載の方法であって、
第２パラメータが構成され、かつ、前記第２識別子が無線デバイス固有の識別子に対応しない場合、前記第１識別子は前記第２パラメータに等しい、方法。
【請求項２７】
請求項２４から２６のいずれか１項に記載の方法であって、
前記第２識別子は、無線ネットワークテンポラリ識別子（ＲＮＴＩ）である、方法。
【請求項２８】
請求項２７に記載の方法であって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、方法。
【請求項２９】
請求項２４から２８のいずれか１項に記載の方法であって、さらに、
無線ネットワークノードからスクランブリングされたダウンリンクメッセージを受信することと、
受信した前記スクランブリングされたダウンリンクメッセージを、取得した前記擬似ランダムシーケンスでディスクランブリングすることと、を含む方法。
【請求項３０】
請求項２９に記載の方法であって、
前記ダウンリンクメッセージは、共有チャネルダウンリンクメッセージである、方法。
【請求項３１】
請求項２９又は３０に記載の方法であって、
前記ダウンリンクメッセージは、物理ダウンリンク共有チャネル（ＰＤＳＣＨ）メッセージである、方法。
【請求項３２】
請求項２４から２８のいずれか１項に記載の方法であって、さらに、
取得した前記擬似ランダムシーケンスに少なくとも部分的に基づいて、参照信号を生成することと、
無線ネットワークノードからダウンリンク参照信号を受信することと、
前記無線ネットワークノードから受信した前記ダウンリンク参照信号と、前記無線デバイスが生成した前記参照信号との比較に基づいてダウンリンクチャネルを推定することと、
を含む方法。
【請求項３３】
請求項３２に記載の方法であって、
前記参照信号は、復調参照信号（ＤＭ−ＲＳ）である、方法。
【請求項３４】
請求項３２又は３３に記載の方法であって、
前記参照信号は、物理ダウンリンク共有チャネル（ＰＤＳＣＨ）に関連付けられた復調参照信号（ＤＭ−ＲＳ）である、方法。
【請求項３５】
無線デバイスであって、
第１パラメータが構成され、かつ、第２識別子が無線デバイス固有の識別子に対応する場合、前記第１パラメータに等しい第１識別子に少なくとも部分的に基づいて、擬似ランダムシーケンス初期化値を取得し、
前記擬似ランダムシーケンス初期化値に少なくとも部分的に基づいて、擬似ランダムシーケンスを取得する様に構成されている、無線デバイス。
【請求項３６】
請求項３５に記載の無線デバイスであって、
前記第１パラメータが構成されていない場合、又は、前記第２識別子が無線デバイス固有の識別子に対応しない場合、前記第１識別子はセル識別子に等しい、無線デバイス。
【請求項３７】
請求項３５又は３６に記載の無線デバイスであって、
第２パラメータが構成され、かつ、前記第２識別子が無線デバイス固有の識別子に対応しない場合、前記第１識別子は前記第２パラメータに等しい、無線デバイス。
【請求項３８】
請求項３５から３７のいずれか１項に記載の無線デバイスであって、
前記第２識別子は、無線ネットワークテンポラリ識別子（ＲＮＴＩ）である、無線デバイス。
【請求項３９】
請求項３８に記載の無線デバイスであって、
前記無線デバイス固有の識別子は、セルＲＮＴＩ（Ｃ−ＲＮＴＩ）、テンポラリＣ−ＲＮＴＩ、又は、構成されたスケジューリングＲＮＴＩ（ＣＳ−ＲＮＴＩ）である、無線デバイス。
【請求項４０】
請求項３５から３９のいずれか１項に記載の無線デバイスであって、さらに、
無線ネットワークノードからスクランブリングされたダウンリンクメッセージを受信し、
受信した前記スクランブリングされたダウンリンクメッセージを、取得した前記擬似ランダムシーケンスでディスクランブリングする様に構成されている、無線デバイス。
【請求項４１】
請求項４０に記載の無線デバイスであって、
前記ダウンリンクメッセージは、共有チャネルダウンリンクメッセージである、無線デバイス。
【請求項４２】
請求項４０又は４１に記載の無線デバイスであって、
前記ダウンリンクメッセージは、物理ダウンリンク共有チャネル（ＰＤＳＣＨ）メッセージである、無線デバイス。
【請求項４３】
請求項３５から３９のいずれか１項に記載の無線デバイスであって、さらに、
取得した前記擬似ランダムシーケンスに少なくとも部分的に基づいて参照信号を生成し、
無線ネットワークノードからダウンリンク参照信号を受信し、
前記無線ネットワークノードから受信した前記ダウンリンク参照信号と、前記無線デバイスが生成した前記参照信号との比較に基づいてダウンリンクチャネルを推定する様に構成されている、無線デバイス。
【請求項４４】
請求項４３に記載の無線デバイスであって、
前記参照信号は、復調参照信号（ＤＭ−ＲＳ）である、無線デバイス。
【請求項４５】
請求項４３又は４４に記載の無線デバイスであって、
前記参照信号は、物理ダウンリンク共有チャネル（ＰＤＳＣＨ）に関連付けられた復調参照信号（ＤＭ−ＲＳ）である、無線デバイス。
【請求項４６】
デバイスの１つ以上のプロセッサにより実行されると、前記デバイスに請求項２４から３４のいずれか１項に記載の方法を実行させる、コンピュータプログラム。
【国際調査報告】
2021520663.tif 000010
2021520663.tif 000011
2021520663.tif 000012
2021520663.tif 000013
2021520663.tif 000014